(57)【特許請求の範囲】
【請求項１】
クローラ式の走行部（６）に支持される機台（１１）上に脱穀機（３）を搭載し、脱穀機（３）に構成される扱室（１２）の下方に揺動選別体（２６）を揺動支持機構（３１，３２）によって前後揺動可能に装着支持し、且つ前記揺動選別体（２６）を前記揺動支持機構（３１，３２）との装着支持を解除してから脱穀機（３）の側壁（４４Ｌ，４４Ｒ）に設けたガイドレール（９１Ｌ，９１Ｒ）に沿わせて機外へ引き出すことができるコンバインにおいて、前記揺動選別体（２６）の前側をガイドレール（９１Ｌ，９１Ｒ）に支承すると共に、揺動選別体（２６）の後側を前記ガイドレール（９１Ｌ，９１Ｒ）とは別に脱穀機（３）の機台（１１）に支持する支持装置（１０１）を設け、当該揺動選別体（２６）を、その前側をガイドレール（９１Ｌ，９１Ｒ）に支持し、その後側を支持装置（１０１）を介して機台（１１）に支持した状態で機外後方に引き出せるように構成したことを特徴とするコンバイン。
【請求項２】
前記支持装置（１０１）を、脱穀機（３）の機台（１１）後部に前後スライド可能に設けた案内体（１０２）と、揺動選別体（２６）の後側に取り付けて前記案内体（１０２）上で揺動選別体（２６）を前後移動可能に支持する支持具（１０３）により構成したことを特徴とする請求項１記載のコンバイン。
【発明の詳細な説明】
【技術分野】
【０００１】
本発明は、コンバインにおける揺動選別体の引き出し装置に関する。
【背景技術】
【０００２】
従来、扱室下方の選別風路に駆動機構と支持リンク等により支架され、扱室で脱穀された脱穀物を受けて揺動選別する揺動選別体は、その選別網等に生じた目詰まりの除去や、脱穀機内のメンテナンス作業を行う場合には、脱穀機の後方を開放して、その開口部から揺動選別体を機外に取り出し、しかる後に揺動選別体や脱穀機内の掃除及びメンテナンス作業が行われている。
【０００３】
そして、重量の重い揺動選別体を脱穀機から機外へ取り出すことは一人作業では困難であることから、揺動選別体の前側に設けた係合部材が機壁に配設したガイドレール上をスライドできるように構成し、揺動選別体と揺動選別体を揺動させる駆動機構との連結を解除した後、揺動選別体を後方へ移動させて機外へ引き出せるようにすると共に、前記係合部材がガイドレールの後端側に至ると当該係合部材がガイドレールに係合するようになし、更に、この係合状態で揺動選別体の後端部を下方へ回動させながら、揺動選別体の後端部を地面もしくは予め地面上に設置した載置台上に載置して、当該揺動選別体を機体の後部に立掛状態で保持する揺動選別体の引き出し装置が知られている（例えば、特許文献１参照。）。
【０００４】
【特許文献１】特開２００１−４５８５２号公報
【０００５】
しかし、上述した揺動選別体の引き出し装置は、作業者が揺動選別体の後端部を持ち上げながらガイドレール上をスライドさせなければならず、更に揺動選別体を機体の後部に立掛状態で地面または載置台上に載置する際は、作業者は揺動選別体の後端部を確実に把持して下方回動させなければならず、必ずしも当該作業者の作業負荷が軽減される構成のものではなかった。
【発明の開示】
【発明が解決しようとする課題】
【０００６】
解決しようとする課題は、作業者が揺動選別体を後方へ移動させて機外へ引き出す際の作業負荷を軽減する点にある。
【課題を解決するための手段】
【０００７】
本発明は、上記課題を解決することを目的として創案したものであって、クローラ式の走行部に支持される機台上に脱穀機を搭載し、脱穀機に構成される扱室の下方に揺動選別体を揺動支持機構によって前後揺動可能に装着支持し、且つ前記揺動選別体を前記揺動支持機構との装着支持を解除してから脱穀機の側壁に設けたガイドレールに沿わせて機外へ引き出すことができるコンバインにおいて、前記揺動選別体の前側をガイドレールに支承すると共に、揺動選別体の後側を前記ガイドレールとは別に脱穀機の機台に支持する支持装置を設け、当該揺動選別体を、その前側をガイドレールに支持し、その後側を支持装置を介して機台に支持した状態で機外後方に引き出せるように構成したことを特徴とする。
また、前記支持装置を、脱穀機の機台後部に前後スライド可能に設けた案内体と、揺動選別体の後側に取り付けて前記案内体上で揺動選別体を前後移動可能に支持する支持具により構成したことを特徴とする。
【発明の効果】
【０００８】
請求項１の発明によれば、揺動選別体を後方へ移動させて脱穀機から機外に引き出す際
、揺動選別体の前側をガイドレールに支承すると共に、揺動選別体の後側を脱穀機の機台に支持する支持装置により、揺動選別体の前後を支持した状態で容易に引き出すことができるので、当該作業者の作業負荷を大幅に軽減することができる。そして、圃場等の足元の悪い場所においても安全に作業が行える。
【０００９】
また、請求項２の発明によれば、前記支持装置を、脱穀機の機台後部に前後スライド可能に設けた案内体と、揺動選別体の後側に取り付けて前記案内体上で揺動選別体を前後移動可能に支持する支持具により構成したので、当該支持装置自体をコンパクト且つ安価に構成することができる。
【発明を実施するための最良の形態】
【００１１】
脱穀機の側壁に設けたガイドレールに揺動選別体の前側を支承すると共に、脱穀機の機台に設けた案内体と、該案内体上を前後移動可能な支持具により揺動選別体の後側を支持することによって、当該揺動選別体を装着姿勢状態で容易に機外に引き出せるようにする。
【実施例１】
【００１２】
図１及び図２に示すように、コンバイン１は、茎稈を刈取る前処理部２と、刈取茎稈から穀粒を脱穀し、且つ、この穀粒を選別する脱穀機３と、選別した穀粒を貯留する穀粒タンク４と、脱穀済みの排稈を排出処理する後処理部５と、クローラ式の走行部６と、運転座席７ａおよび各種の操作具が設けられる操作部７とを備えている。
【００１３】
穀粒タンク４に貯留された穀粒は、穀粒タンク４の後面下端部に固設される固定パイプ８と、固定パイプ８に回動可能に接続される縦パイプ９と、縦パイプ９の上端に一体回動可能で、且つ、上下方向に起伏可能（上下昇降可能）に接続される穀粒排出オーガ１０とを経由して機外に排出される。
【００１４】
そして、脱穀機３は、クローラ式の走行部６に支持される機台１１上に搭載されており、図３に示すように、脱穀機３に構成される扱室１２に沿ってフイードチェン１３を前後方向に張架すると共に、このフイードチェン１３終端部に排藁搬送帯１４を連設し、扱室１２で脱穀した後の穀稈を機体の後部に配設した排稈処理装置（カッター）１５に搬送するようにしてある。
【００１５】
また、扱室１２を構成する扱胴１２ａ及び扱網１２ｂの終端穂先側には、処理胴１６ａ及び処理網１６ｂを内装する処理室１６を併設してあり、これらの下方には、波板状の無孔移送板１７ａ及び開度可変なチャフシーブ１８を配設してある。
そしてチャフシーブ１８の下方に無孔移送板１７ｂ、及び無孔移送板１７ｂの終端部から後方に向けて濾過体１９を張設すると共に、その下方に一番樋２１に一番物を流下させる一番流板２２を斜設してある。
更に一番流板２２の後端部に多数のストローラック２３を突設すると共に、その下方に
二番樋２４に二番物を流下させる二番流板２５を斜設して、これらを一体的に枠組みした
揺動選別体２６を形成している。
【００１６】
前記揺動選別体２６は、その前後を支持リンク３１と駆動機構（リンク）３２等で構成する揺動支持機構によって揺動可能に装着支持されると共に、脱穀機３の機外から揺動選別体２６の支持状態を解除可能に構成してあり、当該揺動選別体２６の挿脱作業の容易化が図られている。
また、揺動選別体２６の下方には、送風ファン３３及び一番流板２２からなる選別風路３４が形成され、揺動作動する揺動選別体２６に向く下方からの選別風Ａにより一番物を風選し、且つ選別風路３４の後方に配設した補助送風ファン３５から送風する選別風Ｂにより、ストローラック２３上の二番物を風選し、選別分離した夾雑物を吸引ファン３６を介して機体後方の排塵口３７から機外へ放出するようになっている。
尚、一番樋２１に落下した籾は、揚穀筒３８により穀粒タンク４に揚上搬送され、二番樋２４に落下した二番物は、二番還元筒３９を介して揺動選別体２６上に還元されるようになっている。
【００１７】
また、前記吸引ファン３６は、図３〜図５に示すようなファンケース４１に収納されており、該ファンケース４１は、左右の側板４２Ｌ，４２Ｒと後側板４３により前部を開放した箱型に形成されると共に、左右の側板４２Ｌ，４２Ｒの前端部Ｆから上端部Ｈにかけては、脱穀機３の左右の側壁４４Ｌ，４４Ｒに形成される凹入部ＵＬ，ＵＲと合致する形状になっており、更にこの合致部で接当するファンケース４１の左右の側板４２Ｌ，４２Ｒには、フランジ部４２Ｌｃ，４２Ｒｃ、及び脱穀機３の左右の側壁４４Ｌ，４４Ｒには
、フランジ部４４Ｌｃ，４４Ｒｃを夫々形成してある。
また、図３に示す如く、吸引ファン３６は、その前部を弯曲した前側ケース４５で囲繞され、後部は後側板４３で被覆されることによって、その上部に前記選別風路３４と連通する排塵風路ｆが形成されると共に、更に下部後方に向けて開口する排塵口３７が形成されている。
【００１８】
そして、ファンケース４１の左右の側板４２Ｌ，４２Ｒの下部内側には、前方に突出する係合フック４６，４６が固設してあり、該係合フック４６，４６先端の係合凹部４６ａ，４６ａを、脱穀機３下部の左右側壁４３Ｌ，４３Ｒ間に固着した棒状の係止部材４７に回動自在に支持すると共に、ファンケース４１の後側板４３の上部をノブ付ボルト４８，４８によって脱穀機３の後壁４９に取り付け固定できるようになっている。
【００１９】
上述した揺動選別体２６を後方へ移動させて脱穀機から機外に引き出し、当該揺動選別体２６や脱穀機３内の掃除及びメンテナンス作業を行う際は、先ずファンケース４１の上方に位置する排稈処理装置１５を、機体右側の縦軸（不図示）を中心に側方へ大きく回動（図３において二点鎖線で示す）させ、次いでファンケース４１の左側板４２Ｌから突出する伝動プーリ５１に巻き掛けられている伝動ベルト５２を外した後、ファンケース４１を脱穀機３の後壁４９に取り付け固定しているノブ付ボルト４８，４８を取り外し、更にファンケース４１下部の係合フック４６，４６の係合を解除してファンケース４１を機外に取り出すことによって、安全に能率よく作業が行える作業スペースを確保する。
【００２０】
そして、図６及び図７に示すように、揺動選別体２６の駆動機構（リンク）３２は、揺動選別体２６の二番流板２５の裏側に沿って取着した受動軸６１に、リンクメタル６２，６２のベアリング６３を軸装すると共に、リンクメタル６２の端部に形成した嵌合突起６２ａ，６２ａを前後に有する平坦面状の取付面６２ｂに、脱穀機３の側壁４４Ｌ，４４Ｒに軸支した断面四角形状の駆動軸６４の平坦面６４ａに嵌着させて、スタッドボルト６５及びテーパーナット６６を介して着脱可能に安定よく取付け固定し、更に駆動軸６４の端部に固着した駆動リンク６７を、一番螺旋軸２１ａに取着した偏心軸７２と揺動リンク７３で連結して駆動されようになっており、前記テーパーナット６６を緩めて取り外すことによって、駆動軸６４から当該リンクメタル６２，６２を取り外し可能な状態とする。
【００２１】
また、揺動選別体２６の支持リンク３１，３１は、脱穀機３の側壁４４Ｌ，４４Ｒに回動可能に軸支した支持軸７４の両側に固着され、その上端部は揺動選別体２６側の係止部
７５に設けた係脱機構Ｅと係合する係合軸７６が、ベアリング７７，７７を介して回動可能に軸支されると共に、図８及び図９に示すように、前記係脱機構Ｅを介して当該揺動選別体２６を着脱可能に支持している。
【００２２】
即ち、前記係脱機構Ｅは、選別始端側に向けて係止凹部８１，８１を切欠き形成した取付板８２，８２を揺動選別体２６の両側板２６ａ，２６ａにそれぞれ取着し、且つ取付板８２，８２を貫通して軸支される回動軸８３の一端に回動片８４の基端を固着すると共に、回動軸８３の両端部近傍に、コイル弾機からなる固定具８５，８５を併設し、その各先端部に曲成したフック８５ａ，８５ａを介して、揺動選別体２６側の係止部７５を前記係止凹部８１，８１に嵌入した係合軸７６方向に付勢する構成になっている。
【００２３】
そして、上述した一方の回動片８４の回動先端と連結した連杆８６を、揺動選別体２６の側板２６ａに沿って後方に延出すると共に、当該連杆８６の他端を中間リンク８７の回動先端に接続し、更にこの中間リンク８７と連結する延長リンク８８を介して揺動選別体２６の後部に枢支した操作レバー８９が連結してあり、揺動選別体２６を後方へ移動させて脱穀機３から機外に引き出す際は、前記操作レバー８９を図８に示すＺ方向に回動操作することによって、コイル弾機からなる固定具８５，８５の付勢力に抗して、揺動選別体２６側に設けた係脱機構Ｅと係合軸７６との係止状態を解除する。
【００２４】
また、図８及び図１０に示すように、脱穀機３の左右側壁４３Ｌ，４３Ｒの内側に突設したガイドレール９１Ｌ，９１Ｒ上には、樹脂製のスライダ９２，９２を介して揺動選別体２６の前側（選別始端側）を滑走可能に支承している。
更に詳しくは、前記スライダ９２，９２は、脱穀機３の左右側壁４３Ｌ，４３Ｒの各上縁に沿って取着した隙間閉板９４Ｌ，９４Ｒの下方に突設支持されており、揺動選別体２６を脱穀機３に装着した状態では、当該スライダ９２，９２がガイドレール９１Ｌ，９１Ｒから遊離する構成になっている。
【００２５】
加えて、脱穀機３の機台１１後部には、図１１及び図１２に示すように、揺動選別体２６を装着姿勢状態で機外に引き出すことが可能な支持装置１０１を取着できる構成になっており、以下詳細に説明する。
【００２６】
前記支持装置１０１は、脱穀機３の機台１１後部に配設した案内体１０２と、該案内体１０２上を前後移動可能な支持具１０３によって構成してあり、更に詳しくは、案内体１０２は、脱穀機３の機台１１後部に並設したパイプ１０２ａ，１０２ａと、これらパイプ１０２ａ，１０２ａに嵌挿して前後スライド可能なレール１０２ｂ，１０２ｂと、その先端を一体的に連結すると共に後述するローラ１０４，１０４の回転ストッパーＳを形成した連結プレート１０２ｃからなり、また支持具１０３は、前記両レール１０２ｂ，１０２ｂ上を回転するローラ１０４，１０４を軸着した回転軸１０５を、アーム１０６，１０６に架け渡して一体的に固着した構成になっている。
【００２７】
そして、前記両アーム１０６，１０６の基端部は、揺動選別体２６の後側下部に突設した支持部材１０７，１０７の支点Ｐを中心に回動可能に取着できるようになっており、当該両アーム１０６，１０６を支持部材１０７，１０７に取着した状態で、支持具１０３全体を図１１に示すＧ矢印方向（機体前方）へ押動すると、ローラ１０４，１０４がレール１０２ｂ，１０２ｂ上を回転して徐々に両アーム１０６，１０６が機体前方に向けて回動し、それに伴って揺動選別体２６の後側が図１１に示すＨ矢印方向に容易に持ち上げられる構造になっている。
【００２８】
次いで、前記両アーム１０６，１０６を脱穀機３の機台１１に対して垂直状態まで回動させると、図１３に示すように、上述したリンクメタル６２，６２がスタッドボルト６５から自動的に外れて揺動選別体２６の後側が切り離される。即ち支持具１０３を構成する両アーム１０６，１０６は、揺動選別体２６の装着状態を解除する解除手段を兼ねており
、当該両アーム１０６，１０６を回動させて揺動選別体２６の装着状態を解除することによって、揺動選別体２６をスムーズに後方へ移動させることが可能になる。この状態で、支点Ｐの上部において支持部材１０７，１０７と両アーム１０６，１０６に共に設けた穿孔１０９に、図１２に示す如く固定ピン１０８，１０８を挿通して当該両アーム１０６，１０６を固定する。
【００２９】
しかる後に、図１４に示すように、前記案内体１０２を構成するレール１０２ｂ，１０２ｂを機体後方に向けて引き出す。このときレール１０２ｂ，１０２ｂの引き出し量は、
揺動選別体２６を脱穀機３から機外に引き出して実施する掃除やメンテナンス作業の内容に応じて調整することができる。
【００３０】
そして、揺動選別体２６の前側（選別始端側）は、脱穀機３の左右側壁４３Ｌ，４３Ｒの内側に突設したガイドレール９１Ｌ，９１Ｒ上に、樹脂製のスライダ９２，９２を介して滑走可能に支承すると共に、前記レール１０２ｂ，１０２ｂ上を回転するローラ１０４，１０４を軸着した支持具１０３を揺動選別体２６の後側下部に取着することによって、揺動選別体２６を装着姿勢状態で機外へ引き出すことが可能な引き出し装置を構成しているので、重量の重い揺動選別体２６を装着姿勢状態で容易に後方へ移動させて脱穀機３から機外に引き出すことが可能となり、当該作業者は無理な姿勢で作業を行わなくて済むと共に、その作業負荷を大幅に軽減することができる。
【００３１】
また、所望の掃除やメンテナンス作業が終了した後は、上述の逆手順で揺動選別体２６を脱穀機３内に押込むことができるので、当該揺動選別体２６の挿脱作業の容易化が図らる。
【００３２】
尚、機外に引き出した揺動選別体２６をより安定した状態で支持することによって、更に安全な状態で掃除やメンテナンス作業が行えるように、上述したレール１０２ｂ，１０２ｂの先端を連結するプレート１０２ｃの下部に支持スタンド１１１を設けてもよい。
【図面の簡単な説明】
【００３３】
【図１】コンバインの側面図。
【図２】同上平面図。
【図３】脱穀機の側断面。
【図４】ファンケースの斜視図。
【図５】ファンケースの取り付け状態を示す脱穀機の斜視図。
【図６】揺動選別体の支持構成を示す平断面図。
【図７】リンクメタルの取り付け構成を示す斜視図。
【図８】揺動選別体の一部省略側断面図。
【図９】（Ａ）は係脱機構の動作を示す作用説明図、（Ｂ）は同上要部平面図。
【図１０】ガイドレールの構成を示す要部断面図。
【図１１】支持装置の取り付け構成を示す一部省略側面図。
【図１２】同上一部省略背面図。
【図１３】支持装置の作用状態を示す一部省略側面図。
【図１４】揺動選別体を機外へ引き出した状態を示す一部省略側面図。
【符号の説明】
【００３４】
３      脱穀機
１１    機台
１２    扱室
２６    揺動選別体
３１    支持リンク
３２    駆動機構
４４Ｌ  側壁
４４Ｒ  側壁
９１Ｌ  ガイドレール
９１Ｒ  ガイドレール
１０１  支持装置
１０２  案内体
１０３  支持具
【図１】
0004610878.tif 000002
【図２】
0004610878.tif 000003
【図３】
0004610878.tif 000004
【図４】
0004610878.tif 000005
【図５】
0004610878.tif 000006
【図６】
0004610878.tif 000007
【図７】
0004610878.tif 000008
【図８】
0004610878.tif 000009
【図９】
0004610878.tif 000010
【図１０】
0004610878.tif 000011
【図１１】
0004610878.tif 000012
【図１２】
0004610878.tif 000013
【図１３】
0004610878.tif 000014
【図１４】
0004610878.tif 000015